(57)【要約】【課題】安価な方法でカセット情報をユーザに通知できるカセット、及び、カセットが袋に収容されたカセット体を提供する。【解決手段】カセット６Ｂは、筐体６０と、筐体６０の内部に収容され、一部が筐体６０の外部に突出するテープ８と、を備える。カセット６Ｂにおいて、筐体６０の外部に突出するテープ８の突出部８Ｐには、カセット情報が印刷された表示部８Ａが形成されている。ユーザは、カセット６Ｂのテープ８の突出部８Ｐを視認することによって、カセット情報を認識できる。カセット体９は、ユーザは、カセット６Ｂと、カセット６Ｂを覆う袋９Ａとを有する。袋９Ａのうち表示部８Ａに対向する部位は、透過性を有するか、又は、表示部８Ａに対向する部位に貫通穴が設けられている。ユーザは、袋９Ａを介してカセット６Ｂの突出部８Ｐの表示部８Ａを視認できる。【選択図】図６
2020044790.tif 000002
【特許請求の範囲】
【請求項１】
筐体と、
前記筐体の内部に収容され、一部が前記筐体の外部に突出する媒体と、
を備えたカセットであって、
前記一部は、情報が印刷された表示部を有することを特徴とするカセット。
【請求項２】
前記表示部と、前記表示部と隣接する非表示部との境界部分にハーフカット線を有することを特徴とする請求項１に記載のカセット。
【請求項３】
前記媒体の前記表示部がある面と反対の面に、粘着部を有し、
前記粘着部によって前記一部と前記筐体の外面が仮止めされていることを特徴とする請求項１又は２に記載のカセット。
【請求項４】
前記表示部は、
前記媒体の延伸方向に沿って並んだ第１表示部及び第２表示部であって、
第１態様で前記情報が印刷された前記第１表示部、及び、
前記第１態様と異なる第２態様で前記情報が印刷された前記第２表示部と、
を有することを特徴とする請求項１から３の何れかに記載のカセット。
【請求項５】
前記第１表示部と前記第２表示部との境界部分にハーフカット線を有することを特徴とする請求項４に記載のカセット。
【請求項６】
前記筐体は、
前記媒体の前記一部が前記筐体の外部に排出される排出部を含む第１外面、及び、前記第１外面に隣接する第２外面を有し、
前記第１表示部及び前記第２表示部の境界部分に曲折部を有し、
前記第１表示部と反対の面が前記第１外面に対向し、前記第２表示部と反対の面が前記第２外面に対向することを特徴とする請求項４又は５に記載のカセット。
【請求項７】
前記第１態様及び前記第２態様は、それぞれ、前記情報の基準となる方向が相違することを特徴とする請求項６に記載のカセット。
【請求項８】
前記情報は、文字を少なくとも含み、
前記第１態様及び前記第２態様は、それぞれ、文字の大きさが相違することを特徴とする請求項４から６の何れかに記載のカセット。
【請求項９】
前記ハーフカット線は、
前記媒体の前記一部の厚さ方向の全域に亘って切断された全切断部が、前記媒体の前記一部の幅方向の一部に形成された第１ハーフカット線、又は、
前記媒体の前記一部の厚さ方向の一部に切れ目が形成された半切断部が、前記媒体の前記一部の幅方向の全域又は一部に形成された第２ハーフカット線
の何れかであることを特徴とする請求項２又は５の何れかに記載のカセット。
【請求項１０】
前記情報は、印刷濃度が段階的に変化した模様を示す階調情報を少なくとも含むことを特徴とする請求項１から９の何れかに記載のカセット。
【請求項１１】
前記情報の少なくとも一部が記憶された記憶部を更に備えたことを特徴とする請求項１から１０の何れかに記載のカセット。
【請求項１２】
前記媒体の他部に、別の表示部が更に設けられたことを特徴とする請求項１から１１の何れかに記載のカセット。
【請求項１３】
前記筐体には、前記情報が印刷されるテープが巻回された第１ロールが収容され、
前記媒体は、前記テープを少なくとも含むことを特徴とする請求項１から１２の何れかに記載のカセット。
【請求項１４】
前記筐体には、前記情報が印刷された前記テープに貼付されるフィルムが巻回された第２ロールが更に収容され、
前記媒体は、前記テープ及び前記フィルムを含むことを特徴とする請求項１３に記載のカセット。
【請求項１５】
請求項１から１４の何れかに記載の前記カセットと、
前記カセットを覆う袋と
を備えたカセット体であって、
前記袋のうち、前記表示部に対向する部位が透過性を有するか、又は、前記表示部に対向する部位に貫通穴が設けられたことを特徴とするカセット体。
【発明の詳細な説明】
【技術分野】
【０００１】
本発明は、カセット、及び、カセットが袋に収容されたカセット体に関する。
【背景技術】
【０００２】
サーマルプリンタに装着されて使用されるカセットが知られている。特許文献１は、ラミネートタイプ及びレセプタタイプのそれぞれのカセットを開示する。ラミネートタイプのカセットには、透明テープからなる印字テープ、インクリボン、及び、粘着剤と剥離紙とを備えた両面粘着テープが収容される。レセプタタイプのカセットには、ラミネートタイプのカセットの印字テープ及び両面粘着テープの代わりに、粘着剤が塗布されて剥離紙が貼着された印字テープを備える。それぞれのタイプのカセットの剥離紙には、タイプ、テープ幅、インクリボンの色等の情報（以下、「カセット情報」という。）を示すテープ種識別マークが連続して印刷される。
【０００３】
上記カセットは、テープ作成装置に装着されて使用される。この場合、テープ作成装置に設けられたテープ種判別センサにより、テープ種識別マークが読み取られる。テープ作成装置は、読み取ったテープ種識別マークにより示されるカセット情報に応じた条件で、サーマルヘッドを加熱し、インクリボンのインクを印字テープに転写する。これにより、ラベル用テープが作成される。
【先行技術文献】
【特許文献】
【０００４】
【特許文献１】特開２００６−１５９４９０号公報
【発明の概要】
【発明が解決しようとする課題】
【０００５】
カセットの筐体の表面に、カセット情報が表示されたシールが貼付される場合がある。ユーザは、シールを確認することによってカセット情報を認識できる。これに対し、コスト等の点から、シールを用いずにカセット情報をユーザに通知することが所望される。ここで、特許文献１に記載されたカセットのように、カセット情報を剥離紙に印刷することによりユーザに通知することが考えられる。しかし、カセットにおいて剥離紙は筐体内に収容されているので、ユーザが外部から確認できないという問題点がある。
【０００６】
本発明の目的は、安価な方法でカセット情報をユーザに通知できるカセット、及び、カセットが袋に収容されたカセット体を提供することである。
【課題を解決するための手段】
【０００７】
本発明の第１態様に係るカセットは、筐体と、前記筐体の内部に収容され、一部が前記筐体の外部に突出する媒体と、を備えたカセットであって、前記一部は、情報が印刷された表示部を有することを特徴とする。第１態様によれば、カセットは、筐体の外部に突出した媒体の一部は、情報が印刷された表示部を有する。従って、カセットは、例えば、情報としてカセット情報を表示部に印刷することによって、ユーザにカセット情報を通知できる。このためカセットは、筐体にシール等を貼付することなく安価にカセット情報をユーザに通知できる。
【０００８】
本発明の第２態様に係るカセット体は、第１態様に係る前記カセットと、前記カセットを覆う袋とを備えたカセット体であって、前記袋のうち、前記表示部に対向する部位が透過性を有するか、又は、前記表示部に対向する部位に貫通穴が設けられたことを特徴とする。第２態様によれば、ユーザは、カセットが袋に収容されたカセット体の状態でも、印刷情報を確認できる。
【図面の簡単な説明】
【０００９】
【図１】プリンタ１の斜視図である。
【図２】カセット装着部２２及びカセット６の斜視図である。
【図３】カセット６が装着された状態のカセット装着部２２、及びプラテンホルダ３８の平面図である。
【図４】カセット６の内部構造を示す平面図である。
【図５】第１実施形態におけるカセット６Ａを示す図である。
【図６】第２実施形態におけるカセット６Ｂ、及び、カセット体９示す図である。
【図７】第３実施形態におけるカセット６Ｃを示す図である。
【図８】第４実施形態におけるカセット６Ｄを示す図である。
【図９】第５実施形態におけるカセット６Ｅ、及び、カセット体９を示す図である。
【図１０】第６実施形態におけるカセット６Ｆを示す図である。
【図１１】変形例におけるカセット６Ｇの内部構造を示す平面図である。
【図１２】変形例におけるカセット６Ｇを示す図である。
【図１３】変形例におけるカセット６Ｇ、及び、カセット体９を示す図である。
【発明を実施するための形態】
【００１０】
本発明の第一実施形態について、図面を参照して説明する。参照する図面は、本発明が採用しうる技術的特徴を説明するために用いられるものである。図面に記載される装置の構成は、それのみに限定する趣旨ではなく、単なる説明例である。
【００１１】
＜プリンタ１の概要＞
図１から図３を参照し、プリンタ１について説明する。なお、図２において、ギア群９０は、実際には覆い隠される。以下の説明では、図１の上方、下方、右下方、左上方、左下方、及び右上方を、それぞれ、プリンタ１及びカセット６の上方、下方、右方、左方、前方、及び後方と定義する。
【００１２】
図１に示すように、プリンタ１は、レセプタタイプ、ラミネートタイプ等、各種のカセットの使用が可能な汎用の印刷装置である。図１に示すように、プリンタ１は、略直方体形状の本体カバー２を備える。本体カバー２の上面に、入力部１１及び表示部１３が設けられる。入力部１１は、種々の情報入力、電源の入切、プリンタ１の各種制御を行う。表示部１３は、入力された情報等を表示する。本体カバー２のうち表示部１３よりも後側に、カセットカバー３が取り付けられる。カセットカバー３は、図示しない閉鎖位置と、図１に示す開放位置との間で回動可能である。本体カバー２の内部にカセット装着部２２が設けられる。カセット装着部２２には、カセット６（図２参照）を着脱可能である。本体カバー２の左方に装置排出口２６が設けられる。印字済みのテープ８（図２参照）は、装置排出口２６を介してプリンタ１から排出される。
【００１３】
図２に示すように、カセット装着部２２には、サーマルヘッド２９、駆動ローラ軸３２、リボン巻取軸３３、電極３４、プラテンホルダ３８（図３参照）等が設けられる。サーマルヘッド２９は、ヘッドホルダ２９１の前面に設けられる。ヘッドホルダ２９１は、カセット装着部２２の前部に設けられる。カセット装着部２２にカセット６が装着された場合、ヘッドホルダ２９１は、カセット６のヘッド挿入部６２に挿入される（図３参照）。駆動ローラ軸３２は、ヘッドホルダ２９１の左側に回転可能に設けられる。リボン巻取軸３３は、カセット装着部２２の略中央に回転可能に設けられる。駆動ローラ軸３２及びリボン巻取軸３３は、ギア群９０により連結される。ギア群９０には、非図示の駆動モータが連結される。駆動ローラ軸３２及びリボン巻取軸３３は、駆動モータの回転に応じ、互いに連動して回転する。電極３４は、カセット装着部２２の右側面に設けられる。電極３４は、カセット装着部２２にカセット６が装着された場合、カセット６の電極６３に接触する。
【００１４】
図３に示すように、プラテンホルダ３８は、カセット装着部２２の前方に設けられる。プラテンホルダ３８は、本体カバー２（図１参照）に支持された回動軸３７を中心に回動可能に支持される。回動軸３７は上下方向に延びる。プラテンホルダ３８には、プラテンローラ３０及びテープサブローラ３１が、それぞれ、平面視で反時計回り方向に回転可能に支持される。プラテンローラ３０は、サーマルヘッド２９と対向する。テープサブローラ３１は、プラテンローラ３０の左側に設けられ、駆動ローラ軸３２と対向する。プラテンホルダ３８には、カセットカバー３（図１参照）の開閉に連動して移動する非図示のリリースレバーが連結される。リリースレバーは、カセットカバー３が開放位置に移動することに応じ、プラテンホルダ３８を待機位置（図３参照）に移動させる。プラテンホルダ３８は、待機位置に配置された状態でカセット装着部２２から離隔する。リリースレバーは、カセットカバー３が閉鎖位置に移動することに応じ、プラテンホルダ３８を非図示の印刷位置に移動させる。プラテンホルダ３８は、印刷位置に配置された状態でカセット装着部２２に近接する。このとき、プラテンローラ３０はサーマルヘッド２９に近接し、テープサブローラ３１は駆動ローラ軸３２に近接する。
【００１５】
装置排出口２６（図１参照）の右側には、印字済みのテープ８を切断する切断機構１５が設けられる。切断機構１５は、固定刃１５１及び移動刃１５２を有する。移動刃１５２は、固定刃１５１に対向して前後方向に移動可能である。切断された印刷済みのテープ８は、装置排出口２６を介してプリンタ１から排出される。
【００１６】
＜カセット６の概要＞
カセット６は、レセプタタイプのカセットである。図４に示すように、カセット６は筐体６０を備える。筐体６０は略直方体状である。筐体６０は、インクリボン４、テープ８等を内部に収納する。筐体６０には、リボンボス７１０、支持孔７１１、支持孔７１２、支持孔７１３、及び、テープボス７１４が形成される。
【００１７】
リボンボス７１０は、筐体６０の右前部に設けられ、リボンスプール７４を回転可能に支持する。リボンスプール７４は、リボンロール４０を保持する。リボンロール４０にはインクリボン４が巻回される。支持孔７１１は、筐体６０の前後方向の中央よりもやや後側、且つ左右方向の中央よりも左側に設けられ、テープスプール７２を回動可能に支持する。テープスプール７２は、テープロール８０を保持する。テープロール８０にはテープ８が巻回される。テープ８は、基材と、粘着剤により基材に貼付された剥離紙とを含む。基材及び剥離紙は積層する。
【００１８】
支持孔７１２は、リボンボス７１０と支持孔７１１との間に設けられ、リボン巻取スプール７６を支持する。リボン巻取スプール７６には、リボン巻取軸３３（図３参照）が挿入される。リボン巻取スプール７６は、リボン巻取軸３３の回転駆動に伴って回転し、リボンロール４０からインクリボン４を引き出して巻き取る。
【００１９】
支持孔７１３は、筐体６０の左前角部に設けられ、駆動ローラ７８を回転可能に支持する。駆動ローラ７８には、駆動ローラ軸３２（図３参照）が挿入される。駆動ローラ７８は、駆動ローラ軸３２の回転駆動に伴って回転し、テープサブローラ３１（図３参照）と共にテープロール８０からテープ８を引き出して搬送する。テープボス７１４は、ラミネートタイプのカセットとして筐体６０が用いられる場合に使用される。
【００２０】
筐体６０には、ヘッド挿入部６２と排出部６９とが設けられる。ヘッド挿入部６２は、筐体６０の前部を上下方向に貫通し、平面視略Ｕ字状に形成される。ヘッド挿入部６２には、ヘッドホルダ２９１（図３参照）が挿入される。以下、ヘッド挿入部６２の前側を左右方向に延びる部分を、「アーム部６５」という。アーム部６５の左端部には、アーム開口６７が設けられる。ヘッド挿入部６２の左前角部には、リボン分離部６８が設けられる。リボン分離部６８は、印刷済みのテープ８からインクリボン４を分離し、且つインクリボン４をリボン巻取スプール７６へと案内する。排出部６９は、筐体６０の左前角部に設けられる。排出部６９は、テープ８をカセット６から外部に排出し、装置排出口２６（図３参照）へと案内する。
【００２１】
テープ８は、テープロール８０から筐体６０の内部において右前角部を通り、アーム開口６７へと延びる。インクリボン４は、リボンロール４０からアーム開口６７へと延びる。アーム開口６７では、テープ８の基材側にインクリボン４が重ね合わされる。重ね合されたテープ８とインクリボン４とは、アーム開口６７から外部に露出して、リボン分離部６８へと搬送される。インクリボン４は、リボン分離部６８でテープ８から分離されて、リボン巻取スプール７６まで延びる。テープ８は、リボン分離部６８でインクリボン４が分離されて排出部６９まで延びる。
【００２２】
図２に示すように、カセット６の右側面に、電極６３及び記憶部６３Ａが設けられる。電極６３は、プリンタ１のカセット装着部２２にカセット６が装着された状態で、プリンタ１の電極３４に接触する。記憶部６３Ａは不揮発性のメモリである。記憶部６３Ａには、後述のカセット情報が記憶される。
【００２３】
＜印刷手順＞
図２、図３を参照し、印刷手順について説明する。カセット装着部２２にカセット６が装着される。カセット６のリボン巻取スプール７６及び駆動ローラ７８には、それぞれ、プリンタ１のリボン巻取軸３３及び駆動ローラ軸３２が挿入される。ヘッド挿入部６２には、ヘッドホルダ２９１が挿入される。カセット６の電極６３に、プリンタ１の電極３４が接触する。プリンタ１の非図示の制御部は、接触した電極３４、６３を介して、カセット６の記憶部６３Ａに記憶されたカセット情報を読み出すことが可能となる。
【００２４】
カセットカバー３が閉鎖位置に移動することに応じ、プラテンホルダ３８は待機位置から印刷位置に移動する（矢印Ｙ１１、図３参照）。プラテンローラ３０は、テープ８とインクリボン４とを重ね合わせてサーマルヘッド２９に押圧する。サーマルヘッド２９の発熱により、インクリボン４が加熱される。これにより、インクリボン４のインクは、テープ８の基材に転写される。以上によって、文字等の情報が印刷される。テープ８のうち、印刷によって情報の視認が可能となる面を「表示面」という。テープ８のうち、表示面と反対側の面を「非表示面」という。レセプタタイプのカセット６の場合、テープ８の基材のうちインクリボン４のインクが転写される面が「表示面」に対応する。基材に剥離紙が貼付された状態の場合、剥離紙のうち基材側と反対側の面が「非表示面」に対応する。一方、基材から剥離紙が剥離された状態の場合、基材のうち表示面と反対の面が「非表示面」に対応する。
【００２５】
図３に示すように、印刷に使用されたインクリボン４は、リボン分離部６８で印刷済みのテープ８から分離されて、リボン巻取スプール７６に巻き取られる。インクリボン４が分離された印刷済みのテープ８は、駆動ローラ７８の回転により排出部６９からカセット６の外部へと排出される。排出された印刷済みのテープ８は、装置排出口２６を介してプリンタ１の外部に排出される。テープ８を切断する為の操作が入力部１１を介して実行された場合、切断機構１５が駆動される。移動刃１５２は、固定刃１５１に近接する向きに移動し、排出されたテープ８を切断する。
【００２６】
＜カセット６の詳細（第１実施例〜第６実施形態）＞
プリンタ１から取り外された状態のカセット６について、図５〜図１０を参照して説明する。なお、以下で説明するカセット６には、未使用状態のカセット６だけでなく、一旦プリンタ１に装着されて使用された後、プリンタ１から脱離されたカセット６も含む。カセット６において、テープ８の一部は、テープ８の搬送経路に沿った方向において、排出部６９に対してテープロール８０と反対側に配置される。以下、テープ８の搬送経路に沿った方向において、排出部６９に対してテープロール８０側を「上流側」といい、排出部６９に対してテープロール８０と反対側を「下流側」という。筐体６０のうち排出部６９よりも上流側を「筐体６０の内部」といい、筐体６０のうち排出部６９よりも下流側を「筐体６０の外部」という。筐体６０の外部に突出したテープ８の一部を、「突出部８Ｐ」という。図５（ａ）、図７（ａ）、図８（ａ）、図９（ａ）、図１０（ａ）のそれぞれの部分拡大図は、Ａ−Ａ線を矢印方向から視た状態を示している。
【００２７】
＜第１実施形態（カセット６Ａ）＞
図５を参照し、第１実施形態に係るカセット６Ａについて説明する。カセット６Ａにおいて、突出部８Ｐは、排出部６９から左方に延びる。突出部８Ｐにはカセット情報が印刷されている。カセット情報は、（１）テープ８の幅（１２ｍｍ）、（２）テープ８の全長（８ｍ）、（３）カセット６がレセプタタイプであるかラミネートタイプであるかを識別可能な型式（ＴＺｅ）、（４）テープ８の厚さ（０．１ｍｍ）、（５）インクリボン４の加熱に要する熱量（熱量Ａ）、（６）最終使用日時（２０１８．９．２１  １９：２１）、（７）消費期限（２０１８．１２．３１）、のそれぞれが文字で示された情報を含む。突出部８Ｐのうち、カセット情報の視認が可能な表示面８Ｘは後側を向く。表示面８Ｘと反対の非表示面８Ｙは前側を向く。
【００２８】
テープ８の表示面８Ｘのうち、突出部８Ｐにおいてカセット情報が印刷された部分を、「表示部８Ａ」という。テープ８の表示面８Ｘのうち、表示部８Ａよりも上流側に隣接する部分であって情報が印刷されない部分を、「非表示部８Ｂ」という。表示部８Ａと非表示部８Ｂとの境界部分は、排出部６９よりも僅かに下流側に配置される。表示部８Ａと非表示部８Ｂとの境界部分に、ハーフカット線８Ｃが形成される。ハーフカット線８Ｃとして、以下の第１ハーフカット線又は第２ハーフカット線が選択的に適用される。
【００２９】
第１ハーフカット線では、突出部８Ｐの厚さ方向の全域に亘って切断された全切断部が、突出部８Ｐの幅方向の一部に形成されている。つまり、全切断部は、テープ８の基材及び剥離紙のそれぞれの幅方向の一部を、境界部分で表示部８Ａ側と非表示部８Ｂ側とに分断する切断部である。第１ハーフカット線の一例は、全切断部が幅方向に断続的に形成されたミシン目である。テープ８は、第１ハーフカット線において分断可能となる。テープ８が第１ハーフカット線において分断された場合、突出部８Ｐはカセット６Ａから切り離される。
【００３０】
第２ハーフカット線の第１例では、突出部８Ｐのうち基材のみが厚さ方向の全域に亘って切断された半切断部が、突出部８Ｐの幅方向の全域又は一部に形成されている。剥離紙に切断部は形成されない。テープ８は、突出部８Ｐの基材を切り離すことによって、突出部８Ｐの剥離紙から基材を剥がすことが可能となる。切り離された基材のうち、表示面８Ｘと反対側の面は、粘着剤が付着した状態で露出する。
【００３１】
＜第１実施形態の作用、効果＞
筐体６０の外部に突出したテープ８の突出部８Ｐは、カセット情報が印刷された表示部８Ａを有する。従ってユーザは、突出部８Ｐのカセット情報を視認することによって、カセット６のカセット情報を認識できる。このためカセット６は、筐体６０にシール等を貼付することなく安価にカセット情報をユーザに通知できる。
【００３２】
テープ８は、表示部８Ａと非表示部８Ｂとの間にハーフカット線８Ｃを有する。この場合、ユーザは、ハーフカット線８Ｃによって表示部８Ａを非表示部８Ｂから容易に切り離すことができる。この場合、ユーザは、切り離した表示部８Ａをカセット６の筐体６０に貼付することができるので、切り離された表示部８Ａを有効的に利用できる。
【００３３】
プリンタ１の仕様によっては、プリンタ１に対するカセット６の装着時、カセット６から突出部８Ｐを切り離す作業が必要となる場合がある。これに対し、カセット６において表示部８Ａと非表示部８Ｂとの境界部分に第１ハーフカット線が形成されている場合、第１ハーフカット線によって突出部８Ｐをカセット６から容易に切り離すことができる。従って、ユーザは、プリンタ１に対するカセット６の装着作業を容易に実行できる。
【００３４】
カセット６Ａでは、ハーフカット線８Ｃとして第１ハーフカット線又は第２ハーフカット線が選択的に適用される。例えば第１ハーフカット線が形成された場合、カセット６から突出部８Ｐを容易に切り離すことができる。一方、例えば第２ハーフカット線が形成された場合、突出部８Ｐのうち表示部８Ａを含む基材を剥離紙から容易に剥離させることができる。
【００３５】
カセット６Ａは記憶部６３Ａを備える。記憶部６３Ａにはカセット情報が記憶される。この場合、例えばカセット６の製造工程において、記憶部６３Ａに記憶されたカセット情報を参照して、テープ８の突出部８Ｐに印刷を行うことができる。
【００３６】
カセット６は、インクリボン４のインクをテープ８に転写することによって印刷が実行される、レセプタタイプのカセットである。つまり、第１実施形態にて説明した発明は、レセプタタイプのカセットに適用できる。
【００３７】
＜第２実施形態（カセット６Ｂ）＞
図６を参照し、第２実施形態に係るカセット６Ｂについて説明する。カセット６Ｂでは、突出部８Ｐの下流側の端部の一部において、剥離紙が基材から剥離される。これにより、突出部８Ｐの非表示面のうち下流側の端部において、粘着剤が露出する。以下、突出部８Ｐの非表示面のうち粘着剤が露出した部分を、「粘着部８Ｎ」という。
【００３８】
図６（ａ）に示すように、突出部８Ｐは、排出部６９から右斜め前方に向けて、筐体６０のアーム部６５の先端に向けて延びる。突出部８Ｐの粘着部８Ｎは、アーム部６５の前壁の外面に貼付される。これにより、突出部８Ｐはアーム部６５に仮止めされる。突出部８Ｐは、表示部８Ａが前側を向いた状態で安定化される。
【００３９】
図６（ｂ）に示すように、カセット６Ｂは、未使用の状態で袋９Ａに収容される。袋９Ａは、カセット６Ｂの周囲を覆う。袋９Ａの前端部のうち、突出部８Ｐの表示部８Ａと対向する部分に、窓９１が形成される。窓９１は透過性を有する。袋９Ａの内部に配置された表示部８Ａは、窓９１を介して外部から透けて見える。以下、袋９Ａと、袋９Ａに収容されたカセット６を総称して、「カセット体９」という。
【００４０】
＜第２実施形態の作用、効果＞
カセット６Ｂでは、突出部８Ｐの非表示面のうち下流側の端部に粘着部８Ｎが形成される。突出部８Ｐは、粘着部８Ｎがアーム部６５に仮止めされることによって、表示部８Ａが外側を向いた状態で安定化される。従ってユーザは、カセット情報を容易に確認できる。
【００４１】
カセット６Ｂを覆う袋９Ａの前端部のうち、突出部８Ｐの表示部８Ａと対向する部分に、窓９１が形成される。袋９Ａの内部に配置された表示部８Ａは、窓９１を介して外部から透けて見える。従って、ユーザは、カセット６Ｂが袋９Ａに収容されたカセット体９の状態でも、カセット情報を確認できる。
【００４２】
＜第３実施形態（カセット６Ｃ）＞
図７を参照し、第３実施形態に係るカセット６Ｃについて説明する。カセット６Ｃは、表示部として第１表示部８Ｄ及び第２表示部８Ｅを備え、且つ、ハーフカット線８Ｆを更に有するという点で、第１実施形態に係るカセット６Ａ（図５参照）と相違する。第１表示部８Ｄ及び第２表示部８Ｅは、テープ８の延伸方向に沿って並ぶ。第１表示部８Ｄは、第２表示部８Ｅの上流側に隣接する。非表示部８Ｂは、第１表示部８Ｄの上流側に隣接する。第１表示部８Ｄと非表示部８Ｂとの境界部分に、ハーフカット線８Ｃが形成される。
【００４３】
第１表示部８Ｄ及び第２表示部８Ｅには、それぞれ、カセット情報（１）〜（４）が印刷されている。第１表示部８Ｄと第２表示部８Ｅとでは、カセット情報が印刷される場合の態様が相違する。具体的には、第１表示部８Ｄと第２表示部８Ｅとでは、カセット情報として含まれる文字の大きさが相違する。第２表示部８Ｅに印刷されるカセット情報の文字の大きさは、第１表示部８Ｄに印刷されるカセット情報の文字の大きさよりも大きい。
【００４４】
第１表示部８Ｄと第２表示部８Ｅとの境界部分に、ハーフカット線８Ｆが形成される。ハーフカット線８Ｆとして、第１実施形態と同様、第１ハーフカット線又は第２ハーフカット線が適用される。
【００４５】
＜第３実施形態の作用、効果＞
テープ８の突出部８Ｐの表示部は、第１表示部８Ｄ及び第２表示部８Ｅを有する。第１表示部８Ｄと第２表示部８Ｅとでは、カセット情報自体は共通するものの、その態様が相違する。具体的には、第１表示部８Ｄ及び第２表示部８Ｅのそれぞれで表示されるカセット情報の文字の大きさが相違する。この場合、ユーザは、より見やすい態様の表示部を選択して視認することによって、カセット情報を認識できる。即ちユーザは、多様な態様で第１表示部８Ｄ及び第２表示部８Ｅに表示されたカセット情報を適切に確認できる。
【００４６】
第１表示部８Ｄと第２表示部８Ｅとの境界部分に、ハーフカット線８Ｆが形成される。従ってユーザは、ハーフカット線８Ｆによって第１表示部８Ｄ及び第２表示部８Ｅを容易に切り離すことができる。この場合、ユーザは、切り離した第１表示部８Ｄ及び第２表示部８Ｅを筐体６０に貼付することができるので、切り離した第１表示部８Ｄ又は第２表示部８Ｅを有効的に利用できる。又、カセット情報が表示された２つのラベル（第１表示部８Ｄ及び第２表示部８Ｅ）が形成されることになるので、ユーザは、筐体６０の異なる位置に第１表示部８Ｄ及び第２表示部８Ｅを貼付できる。このため、カセット情報を含むラベルを筐体６０に貼付する場合の利便性を向上させることができる。更に、上記のように、第１表示部８Ｄと第２表示部８Ｅとでは、含まれる文字の大きさが相違する。従ってユーザは、切り離されたテープ８の一部が使用される状況に応じて、第１表示部８Ｄ及び第２表示部８Ｅを使い分けることができる。これによって、ユーザは、カセット情報を更に容易に認識できる。
【００４７】
＜第４実施形態（カセット６Ｄ）＞
図８を参照し、第４実施形態に係るカセット６Ｄについて説明する。カセット６Ｄでは、突出部８Ｐの表示面８Ｘのうち第１表示部８Ｄ及び第２表示部８Ｅに印刷されるカセット情報が、第３実施形態に係るカセット６Ｃ（図７参照）と相違する。具体的には、第１表示部８Ｄには、カセット情報として、（８）２次元バーコードが印刷される。２次元バーコードは、例えば、カセット情報（１）〜（７）の一部に基づいて形成される。第２表示部８Ｅには、カセット情報として、（９）階調情報が印刷される。階調情報は、印刷濃度が段階的に変化した態様を示す。階調情報は、プリンタ１による印刷時において調整が可能な複数の印刷濃度を示す。
【００４８】
＜第４実施形態の作用、効果＞
カセット情報として２次元バーコードが表示されることによって、文字が直接表示される場合と比べて、大量のカセット情報をユーザに認識させることができる。又、例えば、他のプリンタが他のカセットを使用して印刷された階調情報が、カセット６Ｄの筐体６０に貼付される場合、カセット６Ｄが実際に使用された場合と異なる階調表現となる可能性があり、好ましくない。これに対し、本実施形態において、カセット情報として第２表示部８Ｅに表示される階調情報を、プリンタ１がカセット６Ｄを使用して印刷することによって、ユーザは、階調印刷が実行された場合の印刷態様を正確に確認できる。
【００４９】
＜第５実施形態（カセット６Ｅ）＞
図９を参照し、第５実施形態に係るカセット６Ｅについて説明する。図９（ａ）に示すように、カセット６Ｅでは、突出部８Ｐの表示面８Ｘのうち第１表示部８Ｄ及び第２表示部８Ｅに印刷されるカセット情報（１）〜（４）の態様が、第３実施形態に係るカセット６Ｃ（図７参照）と相違する。具体的には、第１表示部８Ｄには、カセット情報（１）〜（４）の文字が、上流側から下流側に向けて配列されている。第１表示部８Ｄのカセット情報（１）〜（４）のそれぞれの書字方向は、下方向と一致する。第２表示部８Ｅには、カセット情報（１）〜（４）の文字が、下流側から上流側に向けて配列されている。第２表示部８Ｅのカセット情報（１）〜（４）のそれぞれの書字方向は、上方向と一致する。即ち、第１表示部８Ｄ及び第２表示部８Ｅのそれぞれのカセット情報（１）〜（４）の文字の書字方向は、互いに反対方向を向く。
【００５０】
更に、カセット６Ｅは、ハーフカット線８Ｃ、８Ｆの位置が曲折した状態で、袋９Ａに収容される。つまり、突出部８Ｐのうちハーフカット線８Ｃが形成された部分は、第１表示部８Ｄと非表示部８Ｂとの境界部分に形成された曲折部８Ｇとして機能する。突出部８Ｐのうちハーフカット線８Ｆが形成された部分は、第１表示部８Ｄと第２表示部８Ｅとの境界部分に形成された曲折部８Ｈとして機能する。カセット６Ｅの筐体６０のうち、排出部６９を含む左壁を、「第１外面６０Ａ」と定義する。カセット６Ｅの筐体６０のうち、第１外面６０Ａの前端部に隣接する前壁を、「第２外面６０Ｂ」と定義する。この場合、図９（ｂ）に示すように、突出部８Ｐの非表示面のうち第１表示部８Ｄと反対の部分は、第１外面６０Ａに対向する。図９（ｃ）に示すように、突出部８Ｐの非表示面のうち第２表示部８Ｅと反対の部分は、第２外面６０Ｂに対向する。
【００５１】
袋９Ａの左端部のうち、突出部８Ｐの第１表示部８Ｄにと対向する部分に、窓９２が形成される。袋９Ａの前端部のうち、突出部８Ｐの第２表示部８Ｅにと対向する部分に、窓９３が形成される。袋９Ａの内部に配置された第１表示部８Ｄは、窓９２を介して外部から透けて見え、第２表示部８Ｅは、窓９３を介して外部から透けて見える。なお、袋９Ａは、窓９２、９３として貫通穴を有していてもよい。
【００５２】
＜第５実施形態の作用、効果＞
カセット６Ｅは、筐体６０の第１外面６０Ａに対向する位置に第１表示部８Ｄを配置させ、且つ、第２外面６０Ｂに対向する位置に第２表示部８Ｅを配置させることができる。この場合、例えばカセット６Ｅの第１外面６０Ａが上側を向くようにカセット体９が配置された状態で、ユーザは、窓９２を介して第１表示部８Ｄのカセット情報を認識できる。又、例えばカセット６Ｅの第２外面６０Ｂが上側を向くようにカセット体９が配置された状態で、ユーザは、窓９３を介して第２表示部８Ｅのカセット情報を認識できる。このように、ユーザは、異なる複数の方向からカセット体９をみたそれぞれの場合で、カセット情報を確認できる。
【００５３】
第１表示部８Ｄに表示されたカセット情報の書字方向と、第２表示部８Ｅに表示されたカセット情報の書字方向とが相違する。この場合、カセット６Ｅは、ユーザが筐体６０を見る方向が、カセット体９の配置状態に応じて変化する場合でも、それぞれの状態でユーザによるカセット情報の確認を更に容易化できる。
【００５４】
＜第６実施形態（カセット６Ｆ）＞
図１０を参照し、第６実施形態に係るカセット６Ｆについて説明する。カセット６Ｆでは、非表示部８Ｂの代わりに第３表示部８Ｊを有するという点で、第４実施形態に係るカセットＤ（図８参照）と相違する。第３表示部８Ｊは、第１表示部８Ｄの上流側に隣接する。第３表示部８Ｊの一部は、突出部８Ｐの上流側に配置される。言い換えれば、第３表示部８Ｊの一部は、排出部６９よりも上流側、即ち、筐体６０の内部に配置される。第３表示部８Ｊには、カセット情報（１）〜（７）が印刷される。なお、第３表示部８Ｊのうちアーム開口６７よりも上流側、即ち、アーム部６５の内部に配置されるに印刷されたカセット情報は、外部から視認することができない。
【００５５】
＜第６実施形態の作用、効果＞
カセット６Ｆでは、ヘッド挿入部６２に挿入されたヘッドホルダ２９１のサーマルヘッド２９により、インクリボン４が加熱される。これにより、テープ８のうちアーム開口６７とリボン分離部６８との間に亘って延びる部分にインクリボン４のインクが転写される。インクが転写されたテープ８は、下流側に搬送される。このためプリンタ１は、印刷の開始時においてサーマルヘッド２９よりも上流側に配置されるテープ８には印刷を行えるのに対し、サーマルヘッド２９よりも下流側に配置されるテープ８には印刷を行うことができない。
【００５６】
これに対し、カセット６Ｆでは、排出部６９よりも上流側、即ち、筐体６０の内部に配置されたテープ８にカセット情報が予め表示されている。このため例えば、プリンタ１による印刷の開始後、筐体６０の外部に第３表示部８Ｊが排出された場合において、ユーザは、カセット情報をユーザに通知する為のラベルとして第３表示部８Ｊを使用できる。つまり、カセット６Ｆでは、テープ８のうちサーマルヘッド２９による印刷を行うことができない領域についても、カセット情報を表示させる領域として使用できる。従って、カセット６Ｆは、テープ８を効率的に使用してカセット情報をテープ８に形成させ、ユーザに使用させることができる。
【００５７】
＜変形例（カセット６Ｇ）＞
図１１を参照し、カセット６Ｇについて説明する。第１〜第６実施形態と異なり、カセットＧは、ラミネートタイプのカセットである。カセットＧは、レセプタタイプのカセット６と同じ筐体６０を有する。カセット６Ｇがレセプタタイプのカセット６Ａ〜６Ｆと異なる点は、支持孔７１１がフィルムスプール７７を回動可能に支持する点、及び、テープボス７１４がテープスプール７９を回動可能に支持する点である。
【００５８】
フィルムスプール７７は、フィルムロール８１を回動可能に支持する。フィルムロール８１には両面粘着フィルム８７が巻回される。両面粘着フィルム８７の一方の面には、剥離紙が貼付されている。両面粘着フィルム８７は、フィルムロール８１から前方に延び、駆動ローラ７８に巻き付いて左方に曲折し、排出部６９まで延びる。
【００５９】
テープスプール７９は、テープロール８２を回動可能に支持する。テープロール８２には、透明基材からなるテープ８９が巻回される。テープ８９は、テープロール８２から下方に延びてリボンスプール７４の右側を通過し、左方に曲折し、アーム開口６７に向けて延びる。アーム開口６７では、テープ８９にインクリボン４が重ね合わされる。重ね合されたテープ８９とインクリボン４とは、アーム開口６７から外部に露出して、リボン分離部６８へと搬送される。インクリボン４は、リボン分離部６８でテープ８９から分離されて、リボン巻取スプール７６まで延びる。テープ８９は、リボン分離部６８でインクリボン４が分離され、駆動ローラ７８の前方で両面粘着フィルム８７に重ね合される。重ね合されたテープ８９と両面粘着フィルム８７とは、排出部６９まで延びる。
【００６０】
カセット６Ｇがカセット装着部２２に装着されたプリンタ１による印刷動作は、次のように実行される。リボン巻取スプール７６に挿入されたリボン巻取軸３３（図３参照）の回転に応じ、リボン巻取スプール７６はリボンロール４０からインクリボン４を引き出して巻き取る。プラテンローラ３０（図３参照）は、テープ８９とインクリボン４とを重ね合わせてサーマルヘッド２９に押圧する。サーマルヘッド２９の発熱により、インクリボン４のインクがテープ８９に転写される。駆動ローラ７８に挿入された駆動ローラ軸３２（図３参照）の回転に応じ、駆動ローラ７８は回転する。駆動ローラ７８及びプラテンホルダ３８のテープサブローラ３１（図３参照）は、それぞれの間に挟まれた両面粘着フィルム８７及びテープ８９を搬送する。インクリボン４が分離された印刷済みのテープ８９は、駆動ローラ７８及びテープサブローラ３１により両面粘着フィルム８７に押し付けられ、貼付される。貼付されたテープ８９及び両面粘着フィルム８７は、駆動ローラ７８の回転により排出部６９からカセット６の外部へと排出される。
【００６１】
図１２に示すように、プリンタ１から取り外された状態のカセット６Ｇでは、上記実施形態と同様、貼付されたテープ８９及び両面粘着フィルム８７の一部は筐体６０の外部に突出する。筐体６０の外部に突出したテープ８９及び両面粘着フィルム８７の一部は、突出部８Ｐに対応する。突出部８Ｐは、排出部６９から左方に延びる。突出部８Ｐにはカセット情報（１）〜（７）が印刷されている。なお、突出部８Ｐにおいて、印刷されたカセット情報は、テープ８９を透過し、両面粘着フィルム８７と反対の面で視認可能となる。このため、上記実施形態と異なり、突出部８Ｐのうちカセット情報の視認が可能な表示面８Ｘは、前側を向く。表示面８Ｘと反対の非表示面８Ｙは、後側を向く。表示部８Ａと非表示部８Ｂとの境界部分に、ハーフカット線８Ｃが形成される。
【００６２】
＜変形例の作用、効果＞
カセット６Ｇは、インクリボン４のインクが転写されたテープ８９に両面粘着フィルム８７が貼付されて印刷が実行される、ラミネートタイプのカセットである。つまり、本発明は、第１実施形態〜第６実施形態にて説明したレセプタタイプのカセットだけでなく、変形例にて説明したラミネートタイプのカセットにも適用できる。
【００６３】
なお、カセット６Ｇにおいて、第２実施形態（図６参照）の場合と同様、突出部８Ｐの下流側の端部の一部において、両面粘着フィルム８７の剥離紙が剥離されていてもよい。これにより、突出部８Ｐの非表示面のうち下流側の端部において、粘着剤が露出する。以下、図１３（ａ）に示すように、突出部８Ｐの非表示面のうち粘着剤が露出した部分を、「粘着部８Ｑ」という。突出部８Ｐは、排出部６９から後方に向けて、筐体６０の左壁に沿って延びる。突出部８Ｐの粘着部８Ｑは、左壁の外面のうち前後方向中央よりも後側に貼付される。これにより、突出部８Ｐは筐体６０に仮止めされる。突出部８Ｐは、表示部８Ａが左側を向いた状態で安定化される。
【００６４】
図１３（ｂ）に示すように、カセット６Ｇは、未使用の状態で袋９Ｂに収容されてもよい。袋９Ｂの左端部のうち、突出部８Ｐの表示部８Ａと対向する部分に、透過性を有する窓９３が形成されもよい。これにより、袋９Ｂの内部に配置された表示部８Ａは、窓９３を介して外部から透けて見える。
【００６５】
＜その他の変形例＞
本発明は上記実施形態に限定されず、種々の変更が可能である。以下、特段説明のない限り、第１実施形態におけるカセット６Ａを例に挙げて変形例を説明するが、他の実施形態についても適宜適用可能である。
【００６６】
テープ８の突出部８Ｐに印刷されるカセット情報は、上記の具体例に限定されず、他の情報であってもよい。テープ８の突出部８Ｐには、カセット６に関する情報と異なる情報が印刷されてもよい。カセット６Ａの記憶部６３Ａには、カセット情報の一部のみが記憶されていてもよい。即ち、テープ８の突出部８Ｐに印刷される情報と、記憶部６３Ａに記憶される情報とで、少なくとも一部の情報が一致していればよい。記憶部６３Ａには、カセット情報と異なる情報が記憶されていてもよい。例えば記憶部６３Ａには、カセット６Ａの製造会社の名称、ロゴ等が記憶されていてもよい。プリンタ１の制御部は、電極３４、６３を介した方法と異なる方法で、カセット６Ａの記憶部６３Ａに記憶された情報を読み出してもよい。カセット６Ａに記憶部６３Ａは設けられていなくてもよい。
【００６７】
ハーフカット線８Ｃは、上記実施形態で例示した第一ハーフカット線及び第２ハーフカット線に限定されない。例えば、第２ハーフカット線において、突出部８Ｐのうち剥離紙のみが厚さ方向の全域に亘って切断された半切断部が、突出部８Ｐの幅方向の全域又は一部に形成されていてもよい。基材に切断部は形成されなくてもよい。この場合、テープ８の突出部８Ｐの剥離紙を基材から切り離すことによって、突出部８Ｐの基材から剥離紙を剥がすことが容易に可能となる。従ってユーザは、カセット６において、突出部８Ｐの非表示面に粘着剤が露出した状態とすることが容易に可能となる。テープ８において、表示部８Ａと非表示部８Ｂとの境界部分にハーフカット線８Ｃは形成されていなくてもよい。
【００６８】
第２実施形態において、突出部８Ｐの粘着部８Ｎは、突出部８Ｐの非表示面の全域に亘って形成されていてもよい。粘着部８Ｎは、筐体６０の右壁に貼付されてもよい。即ち、突出部８Ｐは、アーム部６５の前壁の左右方向全域に亘って配置されてもよい。
【００６９】
第２実施形態における袋９Ａは、前側半分の領域全体が透過性を有していてもよい。袋９Ａは、窓９１として貫通穴を有していてもよい。
【００７０】
第３実施形態において、表示部は、第１表示部８Ｄと第２表示部８Ｅとに加えて、更に表示部を備えていてもよい。つまり、突出部８Ｐには、３つ以上の表示部が設けられていてもよい。又、３つ以上の表示部のそれぞれの態様は、第３実施形態と同様、相違していてもよい。３つ以上の表示部のそれぞれの境界部分の少なくとも一部に、ハーフカット線が形成されていてもよい。表示部間の境界部分にハーフカット線は形成されていなくてもよい。カセット情報の態様の相違は、文字の大きさに限定されない。例えば、第１表示部８Ｄと第２表示部８Ｅとでは、文字の言語、文字の太さ、フォント、色等が相違していてもよい。カセット情報として表示部に表示されるカセット情報は、文字、２次元バーコード、階調表現に限定されないことはいうまでもない。
【００７１】
第５実施形態において、突出部８Ｐは、排出部６９からアーム開口６７に向けて直線状に延び、アーム部６５の前壁に沿って左方に更に延びてもよい。突出部８Ｐは、筐体６０の前壁と右壁とが交差する角部で、筐体６０に沿って曲折し、右壁に沿って後方に延びていてもよい。このとき、突出部８Ｐのうち、排出部６９から筐体６０の前壁と右壁とが交差する角部までの間を延びる部分に、第１表示部８Ｄが配置されてもよい。又、突出部８Ｐのうち、角部から右壁に沿って延びる部分に、第２表示部８Ｅが設けられてもよい。この場合、カセット６Ｅの筐体６０のうち、排出部６９から角部に亘って延びる部分が、第１外面と定義され、角部から後方に延びる右壁が、第２外面と定義されてもよい。
【００７２】
突出部８Ｐは、カセット６Ｅの筐体６０の前壁、右壁、後壁、及び、左壁のすべてを覆うように配置されてもよい。即ち、突出部８Ｐは、筐体６０のうち上下方向に延びる壁部を全て覆ってもよい。曲折部８Ｇ、８Ｈにハーフカット線は設けられていなくてもよく、予め曲げ癖が付けられていてもよい。
【００７３】
第５実施形態において、第１表示部８Ｄに表示されるカセット情報の書字方向と、第２表示部８Ｅに表示されるカセット情報の書字方向とは、それぞれ左右方向に延びていてもよい。それぞれの書字方向は、テープ８の幅に応じて切り替えられてもよい。第１表示部８Ｄに表示されるカセット情報の書字方向と、第２表示部８Ｅに表示されるカセット情報の書字方向とが一致してもよい。
【００７４】
袋は、第２実施形態における袋９Ａの窓９１と、変形例における袋９Ｂの窓９２、９３との両方を備えてもよい。この場合、レセプタタイプのカセットとラミネートタイプのカセットとで袋を共通化できる。
【００７５】
＜その他＞
テープ８、両面粘着フィルム８７及びテープ８９は、本発明の「媒体」の一例である。カセット情報は、本発明の「情報」の一例である。第３表示部８Ｊは、本発明の「別の表示部」の一例である。
【符号の説明】
【００７６】
１        ：プリンタ
４        ：インクリボン
６、６Ａ、６Ｂ、６Ｃ、６Ｄ、６Ｅ、６Ｆ、６Ｇ      ：カセット
８        ：テープ
８Ａ      ：表示部
８Ｂ      ：非表示部
８Ｃ      ：ハーフカット線
８Ｄ      ：第１表示部
８Ｅ      ：第２表示部
８Ｆ      ：ハーフカット線
８Ｇ、８Ｈ      ：曲折部
８Ｊ      ：第３表示部
８Ｎ、８Ｑ      ：粘着部
８Ｘ      ：表示面
８Ｙ      ：非表示面
９        ：カセット体
９Ａ、９Ｂ      ：袋
６０      ：筐体
６０Ａ    ：第１外面
６０Ｂ    ：第２外面
６３Ａ    ：記憶部
６９      ：排出部
８７      ：両面粘着フィルム
８９      ：テープ
９１、９２、９３      ：窓
【図１】
2020044790.tif 000003
【図２】
2020044790.tif 000004
【図３】
2020044790.tif 000005
【図４】
2020044790.tif 000006
【図５】
2020044790.tif 000007
【図６】
2020044790.tif 000008
【図７】
2020044790.tif 000009
【図８】
2020044790.tif 000010
【図９】
2020044790.tif 000011
【図１０】
2020044790.tif 000012
【図１１】
2020044790.tif 000013
【図１２】
2020044790.tif 000014
【図１３】
2020044790.tif 000015